(57)【特許請求の範囲】
【請求項１】
筐体に設けられる板状部材の開口に対してグロメットを装着するグロメット取付器具であって、
前記開口に挿通可能な略筒状に形成される器具本体を有し、該器具本体は、一方の先端部にグロメット保持部を有し、
前記グロメット保持部は、前記器具本体の端部が周方向において複数条の保持片に分岐することで形成され、
前記保持片は、前記器具本体の径方向に弾性変形可能で、先端側に向かって外周側に広がるように形成されると共に、前記グロメットの周面に係止される係止部を先端部に有することを特徴とするグロメット取付器具。
【請求項２】
前記係止部は、前記保持片の先端部が内周側に向かうように屈曲形成されてなることを特徴とする請求項１記載のグロメット取付器具。
【請求項３】
前記保持片は、前記器具本体の周方向に８〜１０条形成されることを特徴とする請求項１または２記載のグロメット取付器具。
【請求項４】
請求項１〜３のいずれか１項に記載のグロメット取付器具を用いてグロメットを筐体に設けられる板状部材の開口に対し装着するグロメット取付方法であって、
前記板状部材の開口は、前記グロメット取付器具のうち前記グロメット保持部側の先端部の径よりも小径で、かつ、前記グロメット取付器具のうち前記グロメット保持部と反対側の先端部の径よりも大径に形成されており、
前記グロメット保持部に前記グロメットを保持させ、
前記グロメットを保持した前記グロメット取付器具を、前記グロメット保持部と反対側の先端部から前記板状部材の開口に対し挿入していくことで、前記グロメット保持部の各保持片を前記開口の縁部によって内周側に弾性変形させ、前記保持片の先端部に保持させた前記グロメットを前記開口の縁部に係止させることを特徴とするグロメット取付方法。
【発明の詳細な説明】
【技術分野】
【０００１】
本発明は、筐体板状部材に形成された開口に対しグロメットを装着するためのグロメット取付器具及びそれを用いたグロメット取付方法に関する。
【背景技術】
【０００２】
電気機器の多くは、樹脂製などの筐体内に、電気部品を配置して構成されている。このため、筐体には、電源ケーブルや通信ケーブルなどの各種ケーブルを内外に挿通する必要があり、そのための開口が設けられている。開口は、筐体を構成する板状部材を貫通するように形成される。また、開口の縁部でケーブルを傷付けることや、筐体内部に水や埃が浸入することを防止するため、ケーブルを挿通する筐体の開口に、ゴム材などによって形成されたグロメットが装着される。
【０００３】
グロメットは、筐体の開口縁部に対して係止される形状を周縁部に有し、中央部にはケーブルを挿通させるための開口部を有している。このようなグロメットとして、例えば特許文献１に挙げるようなものがある。
【先行技術文献】
【特許文献】
【０００４】
【特許文献１】特開２０００−３１６６３号公報
【発明の概要】
【発明が解決しようとする課題】
【０００５】
グロメットを筐体の開口に装着する際には、グロメットを開口に対して手で押し込んでいた。グロメットは、ゴム材などの弾性を有する素材によって形成されているため、グロメットを開口に押し込むことで、周縁部が変形しながら挿入されていく。グロメットが所定位置まで押し込まれると、周縁部に形成された係止部が、開口縁部に対して係止され、開口から抜けないように固定される。
【０００６】
このようにグロメットを手で押し込む装着方法において、多数のグロメットを装着するには、かなりの労力を要していた。特に、筐体の開口付近に、立ち上がり片などが配置されていた場合、グロメットを手で押し込むスペースが十分に確保されていない場合もあるため、特に作業が困難となっており、装着作業に時間を要していた。
【０００７】
本発明は前記課題を鑑みてなされたものであり、筐体の開口に対しグロメットを容易に装着することのできるグロメット取付器具及びそれを用いたグロメット取付方法を提供することを目的とする。
【課題を解決するための手段】
【０００８】
前記課題を解決するため、請求項１の発明に係るグロメット取付器具は、筐体に設けられる板状部材の開口に対してグロメットを装着するグロメット取付器具であって、
前記開口に挿通可能な略筒状に形成される器具本体を有し、該器具本体は、一方の先端部にグロメット保持部を有し、
前記グロメット保持部は、前記器具本体の端部が周方向において複数条の保持片に分岐することで形成され、
前記保持片は、前記器具本体の径方向に弾性変形可能で、先端側に向かって外周側に広がるように形成されると共に、前記グロメットの周面に係止される係止部を先端部に有することを特徴として構成されている。
【０００９】
請求項１に係る発明によれば、グロメット保持部にグロメットを保持させて、開口に器具本体を挿通させることで、グロメットを開口に対して係止させ留置することができる。
【００１０】
また、請求項２の発明に係るグロメット取付器具は、前記係止部は、前記保持片の先端部が内周側に向かうように屈曲形成されてなることを特徴として構成されている。
【００１１】
請求項２に係る発明によれば、グロメットを係止する構造を簡易に形成することができる。
【００１２】
さらに、請求項３の発明に係るグロメット取付器具は、前記保持片は、前記器具本体の周方向に８〜１０条形成されることを特徴として構成されている。
【００１３】
請求項３に係る発明によれば、グロメット保持部によりグロメットを周方向から確実に保持することができる。
【００１４】
さらにまた、請求項４の発明に係るグロメット取付方法は、前記グロメット取付器具を用いてグロメットを板状部材の開口に対し装着するグロメット取付方法であって、
前記板状部材の開口は、前記グロメット取付器具のうち前記グロメット保持部側の先端部の径よりも小径で、かつ、前記グロメット取付器具のうち前記グロメット保持部と反対側の先端部の径よりも大径に形成されており、
前記グロメット保持部に前記グロメットを保持させ、
前記グロメットを保持した前記グロメット取付器具を、前記グロメット保持部と反対側の先端部から前記板状部材の開口に対し挿入していくことで、前記グロメット保持部の各保持片を前記開口の縁部によって内周側に弾性変形させ、前記保持片の先端部に保持させた前記グロメットを前記開口の縁部に係止させることを特徴として構成されている。
【００１５】
請求項４に係る発明によれば、グロメット保持部にグロメットを保持させて、開口に器具本体を挿通させることで、グロメットを開口に対して係止させ留置することができる。
【発明の効果】
【００１６】
本発明に係るグロメット取付器具及びグロメット取付方法によれば、器具本体を開口に挿通させるのに伴って、保持するグロメットを開口に対して容易に装着することができる。また、筐体やグロメットに必要以上の応力を加えることなく作業できるため、筐体やグロメットの変形や破損を防止することができる。
【図面の簡単な説明】
【００１７】
【図１】本実施形態のグロメット取付器具によって取付けられるグロメットの正面図である。
【図２】図１のＡ−Ａ断面図である。
【図３】グロメット取付器具の側面図である。
【図４】グロメット取付器具の正面図である。
【図５】グロメットを保持したグロメット取付器具の断面図である。
【図６】筐体とグロメットを保持したグロメット取付器具の断面図である。
【図７】グロメット取付器具をグロメット保持部の位置まで開口に対し挿入した状態の断面図である。
【図８】グロメットが開口の位置近傍まで挿入された状態の断面図である。
【図９】グロメット取付器具を開口から引き抜いた状態の断面図である。
【発明を実施するための形態】
【００１８】
本発明の実施形態について、図面に沿って詳細に説明する。図１には本実施形態のグロメット取付器具２によって取付けられるグロメット１の正面図を、図２には図１のＡ−Ａ断面図を、それぞれ示している。グロメット１は、扁平略円柱状に形成されたゴム製の小片部材であり、電気機器の筐体３に設けられる開口３１に装着されて、開口３１を挿通される電気ケーブルを保護すると共に、筐体３内への水や埃の浸入を防止するために設けられるものである。
【００１９】
グロメット１は、全体を構成する本体部１０を有し、本体部１０は、一方側に面する第１面１０ａと、他方側に面する第２面１０ｂとを有している。本体部１０の中央部には、電気ケーブルを挿通するための開口部１３が形成されている。開口部１３の第１面１０ａ側には、当該開口部１３を閉塞する薄膜状の膜部１１が形成されている。膜部１１は、グロメット１が筐体３に取付けられた際に、筐体３の開口３１を塞ぐことができ、電気ケーブルが挿通されていない状態の電気機器において、筐体３内部に埃等が侵入することを防止することができる。一方、膜部１１は、薄膜状に形成されているので、これを破って電気ケーブルを容易に挿通させることができる。
【００２０】
グロメット１の周面には、筐体３の開口３１に対して係止させるための溝部１２が形成されている。溝部１２は、第１面１０ａ側の第１壁部１２ａと、第２面１０ｂ側の第２壁部１２ｂと、周壁１２ｃとによって、グロメット１の周方向に沿う溝状をなすように形成されている。
【００２１】
このようなグロメット１を筐体３の開口３１に対して取付けるためのグロメット取付器具２について説明する。図３にはグロメット取付器具２の側面図を、図４にはグロメット取付器具２の正面図を、それぞれ示している。グロメット取付器具２は、金属製の筒状部材によって構成された器具本体２０を有している。器具本体２０は、一方側の端部２１から他方側の端部近傍までは、円筒状に形成されている。他方側の端部には、グロメット１を保持可能なグロメット保持部２２が形成されている。
【００２２】
グロメット保持部２２は、器具本体２０の端部が周方向において複数条の保持片２２ａに分岐して形成されている。本実施形態において、保持片２２ａは周方向に８条となるように、器具本体２０が分岐している。それぞれの保持片２２ａは、先端側に向かって外周側に広がるように形成されている。器具本体２０は、薄肉状の金属材によって形成されているので、保持片２２ａは、根元部分を支点として器具本体２０の径方向に弾性変形することができる。
【００２３】
保持片２２ａの先端部は、径方向内周側に向かって屈曲し、断面略Ｌ字状に形成された係止部２２ｂを有している。係止部２２ｂは、グロメット１の周面に形成された溝部１２に対し弾性的に係止することができる。周方向に８条設けられた保持片２２ａの各係止部２２ｂが、グロメット１の溝部１２に対して係止されることにより、グロメット取付器具２がグロメット１を保持することができる。
【００２４】
図５には、グロメット１を保持したグロメット取付器具２の断面図を示している。この図に示すように、グロメット取付器具２の端部２１側の円筒状に形成された部分は、グロメット１よりも小径状となっている。グロメット保持部２２の保持片２２ａは、前述のように、先端側に向かって外周側に広がるように形成されていて、内周側に向かって屈曲する先端部の係止部２２ｂがグロメット１の溝部１２に入り込んで係止される。保持片２２ａは周方向に８条が形成され、それぞれ溝部１２に係止されるので、グロメット１は、周方向８箇所で保持片２２ａに保持される。
【００２５】
次に、グロメット取付器具２を用いたグロメット１の取付方法について説明する。まず、図５に示すように、グロメット１をグロメット保持部２２に保持させておく。図６には、筐体３とグロメット１を保持したグロメット取付器具２の断面図を示している。筐体３は、板状部材３０を有し、板状部材３０には開口３１が形成されている。開口３１は、グロメット１の周面を係止させることのできる縁部３１ａを有している。
【００２６】
グロメット取付器具２は、グロメット保持部２２とは反対側の円筒状となっている端部２１の径が、開口３１の径よりも小さく形成されている。このため、グロメット取付器具２は、グロメット保持部２２と反対側の端部２１から開口３１に対して挿入していくことができる。
【００２７】
図７には、グロメット取付器具２をグロメット保持部２２の位置まで開口３１に対し挿入した状態の断面図を示している。グロメット保持部２２を構成する保持片２２ａは、先端側に向かって外周側に広がるように形成されており、先端側の部分は開口３１よりも大きい径を有している。一方、それぞれの保持片２２ａは、器具本体２０の径方向に弾性変形可能であるので、グロメット取付器具２の挿通に伴い、開口３１の縁部３１ａによって、保持片２２ａの先端部は内周側に向かって弾性変形する。これによって、弾性部材であるゴム製のグロメット１も径方向に押圧され、圧縮されて変形する。このとき、グロメット１は、グロメット保持部２２によって保持されている第２面１０ｂ側が変形する。
【００２８】
図８には、グロメット１が開口３１の位置近傍まで挿入された状態の断面図を示している。グロメット１の溝部１２は、縁部３１ａに対して係止できる寸法に形成されており、溝部１２の第２壁部１２ｂ側は開口３１よりも大径に形成されている。グロメット取付器具２の保持片２２ａは、開口３１の縁部３１ａによって内周側に変形されているので、それより内周側に保持されているグロメット１の第２壁部１２ｂ側の部分も、開口３１内に挿入することができる。
【００２９】
図９には、グロメット取付器具２を開口３１から引き抜いた状態の断面図を示している。グロメット取付器具２を開口３１から引き抜くと、グロメット１は開口３１の縁部３１ａに係止された状態で板状部材３０に留置される。グロメット１の第１面１０ａ側は、グロメット保持部２２によって保持されていないため、開口３１をグロメット取付器具２が通過する際にもほとんど変形しない。このため、溝部１２の第１壁部１２ａは、開口３１の縁部３１ａの表面に当接する。グロメット取付器具２を開口３１から引き抜くと、グロメット１の第２面１０ｂ側が変形して、保持片２２ａの係止部２２ｂによるグロメット１に対する係止状態が解除され、グロメット取付器具２はそのまま開口３１から引き抜くことができるが、グロメット１はそのまま開口３１に留置される。
【００３０】
このように、本実施形態のグロメット取付器具２を用いることにより、グロメット１を保持したグロメット取付器具２に開口３１を通過させるだけで、グロメット１を開口３１に装着することができる。このため、グロメット１を開口３１に対し手で押し込む場合と比べて、取付作業を容易かつ効率的に行うことができる。
【００３１】
以上、本発明の実施形態について説明したが、本発明は、上述の実施形態には限られず、その技術的思想の範囲内において様々に適用されうる。例えば、上述の実施形態では、グロメット保持部２２は８条の保持片２２ａに分岐して形成されているが、８条に限らず他の数でもよい。保持片２２ａの数については、器具本体２０を形成する材料の弾性や径などによって最適値が異なるが、８〜１０条とするのが好適である。
【００３２】
グロメット取付器具２で取付けるグロメットの構成についても、上述のものには限られず、グロメット保持部２２で保持できるものであればよい。例えば、上述のグロメット１は、開口部１３に膜部１１を有しているが、膜部１１を有していなくてもよい。
【符号の説明】
【００３３】
１    グロメット
２    グロメット取付器具
３    筐体
１０    本体部
１０ａ  第１面
１０ｂ  第２面
１１    膜部
１２    溝部
１２ａ  第１壁部
１２ｂ  第２壁部
１２ｃ  周壁
１３    開口部
２０    器具本体
２１    端部
２２    グロメット保持部
２２ａ  保持片
２２ｂ  係止部
３０    板状部材
３１    開口
３１ａ  縁部
【図１】
0006466291.tif 000002
【図２】
0006466291.tif 000003
【図３】
0006466291.tif 000004
【図４】
0006466291.tif 000005
【図５】
0006466291.tif 000006
【図６】
0006466291.tif 000007
【図７】
0006466291.tif 000008
【図８】
0006466291.tif 000009
【図９】
0006466291.tif 000010